(57)【要約】      （修正有）【課題】小さな生産コストで、床板と下地面とのずれを緩和するような、表面が木製の床タイルを提供する。【解決手段】２枚以上の木製の表面板を略正方形状の可撓性シート２に接着して床タイルを形成する。可撓性シート２をゴム製にして、容易にかつ安定して下地面への接着をすることができる。長方形の表面版を短冊状に配し、隣接する表面版を嵌合させて、床タイルを上面から見たときには可撓性シートは見えないようにして外観を損ねない。面ファスナ６を付して、繊維質の素材が用いられた床タイルによる床面の一部に上記の床タイルを配置して木製床の部分を設けることを可能にする。【選択図】図２
0003169647.tif 000002
【実用新案登録請求の範囲】
【請求項１】
２枚以上の木製の表面板を略正方形状の可撓性シートに接着した床タイルであって、
前記表面板は上面長方形の形状であり、
該長方形の長辺方向が木材の繊維方向であることを特徴とする、床タイル。
【請求項２】
前記可撓性シートがゴム製であることを特徴とする、請求項１に記載の床タイル。
【請求項３】
前記表面板は、前記長方形の長辺に沿って嵌合用凸部又は嵌合用凹部の少なくとも一方を備え、
２枚以上の前記表面板が短冊状に配置されて全体として前記正方形の形状を構成し、
隣接する２枚の前記表面板の一方の前記嵌合用凸部が他方の前記嵌合用凹部に嵌合されていることを特徴とする、請求項１又は２に記載の床タイル。
【請求項４】
前記可撓性シートの前記表面板とは反対側の面の全部又は一部に面ファスナを付したことを特徴とする、請求項１〜３のいずれか１項に記載の床タイル。
【考案の詳細な説明】
【技術分野】
【０００１】
本考案は、表面が木製の床タイルに関するものである。
【背景技術】
【０００２】
表面が木製の床は、自然素材に特有の効果を有しており、フローリング等に広く用いられている。しかし、木は温度、湿度の変化によって寸法が変化するため、コンクリート、プラスチック等の寸法変化の小さい下地面との間でずれが生じることが問題となる。この問題を解決するため、さまざまな工夫が行われてきた。
特許文献１には、木質系の床板を下地面に接着しないことでずれの問題を緩和し、木質系の床板の下に可撓性シートと繊維シートを積層して接着しないことに起因する上下動に係る問題を解決する方法が開示されている。
特許文献２には、木質系の床板の下面と下地面の双方に面ファスナを設け、面ファスナ同士の係合によって応力を緩和する方法が開示されている。
特許文献１及び特許文献２に開示された方法は、いずれも床板と下地面とを接着させずに床板と下地面との間の応力に起因する問題を解決しており、１００ｃｍ程度の長さを持ったフローリング用床板等に適用できるものである。
【０００３】
１辺の長さが３０ｃｍ〜６０ｃｍ程度の正方形の形状である床タイルの場合、木の長さが小さいために寸法の変化が小さく応力の問題は緩和される。一方、隣接する２枚のタイル相互に発生するずれや隙間が外観上の問題となるため、床板と下地面とのずれを無視することはできない。
床タイルにおいては、小さな生産コストで床板と下地面とのずれを緩和する方法が提供されることが好ましい。しかし、従来の方法は特許文献１及び特許文献２に開示されたように応力に起因する問題を根本から解決するものであり、生産コストとずれの緩和を両立させる検討はあまり行われていなかった。
【先行技術文献】
【特許文献】
【０００４】
【特許文献１】特開平８−１３５１５６号公報
【特許文献２】特開２００９−２４１２９９号公報
【考案の概要】
【考案が解決しようとする課題】
【０００５】
解決しようとする問題点は、小さな生産コストで、床板と下地面とのずれを緩和するような、表面が木製の床タイルを提供することである。
【課題を解決するための手段】
【０００６】
本考案の床タイルは、
２枚以上の木製の表面板を略正方形状の可撓性シートに接着した床タイルであって、
前記表面板は上面長方形の形状であり、
該長方形の長辺方向が木材の繊維方向であることを特徴とする。
表面版と可撓性シートのみにより構成される床タイルであり、低コストで生産可能である。
表面版とシートを接着した後における表面版の寸法変化があっても、シートが可撓性であるので表面版とシートとの間でのずれの問題は生じない。
長方形の長辺方向が木材の繊維方向であるので、表面版の寸法変化の割合は、長辺方向については小さい。長辺方向の寸法変化の割合が大きいと寸法変化の絶対値が大きくなってしまうが、そうはならず、床タイル全体として、大きな寸法変化が生じることはない。この点は、床タイルにおいては長辺方向といえども６０ｃｍ程度の長さに留まることと、木材の繊維方向の寸法変化の割合が小さいこととを合わせて得られる効果である。
【０００７】
本考案の床タイルは、
前記可撓性シートがゴム製であることを特徴とする。
床タイルの施工に当たっては、可撓性シートを下地面に接着することが好ましい。接着しない場合には特許文献１に示されたように上下動の問題が発生する、若しくは、特許文献２に示された方法等によって上下動をなくす必要があるからである。可撓性シートがゴム製であれば、コンクリート製の下地面にもプラスチック製の下地面にも容易にかつ安定して接着させることができる。
【０００８】
本考案の床タイルは、
前記表面板は、前記長方形の長辺に沿って嵌合用凸部又は嵌合用凹部の少なくとも一方を備え、
２枚以上の前記表面板が短冊状に配置されて全体として前記正方形の形状を構成し、
隣接する２枚の前記表面板の一方の前記嵌合用凸部が他方の前記嵌合用凹部に嵌合されていることを特徴とする。
表面版は、木材の繊維方向に起因して、長方形の短辺方向の寸法変化の割合が大きい。そこで、各表面版の間に若干の空隙を持たせて表面板を短冊状に配置することにより、表面版の寸法変化が床タイル全体の形状をひずませてしまうことを、その空隙によって吸収する。
この際、床タイルを上面から見たときに、空隙を通じて可撓性シートが見えてしまうと外観が損なわれてしまう。そこで、隣接する２枚の表面版を嵌合用させて空隙の上部を覆い、可撓性シートが見えてしまうことがないようにする。嵌合部分が空隙の上部にあり、床タイルを上面から見たときには、木製の表面版の一部である嵌合用凸部が見え、可撓性シートは見えない。
【０００９】
本考案の床タイルは、
前記可撓性シートの前記表面板とは反対側の面の全部又は一部に面ファスナを付したことを特徴とする。
面ファスナを付することにより、可撓性シートを下地面に接着しなくても床タイルの固定が可能になる。特許文献２に示されたように下地面にも面ファスナを付することも可能であるが、本考案においてはフローリング等と異なり移動が容易であるという床タイルの特性を活用することができる。
近年のオフィスにおいては、床タイルの多くが、その表面に繊維質の素材を用いている。面ファスナは繊維質の素材とも噛み合って、床タイルを固定することができる。繊維質の素材が用いられた床タイルによる床面の一部に本考案の床タイルを配置して、木製床の部分を設けることが可能である。
【考案の効果】
【００１０】
本考案の床タイルにより、小さな生産コストで、床板と下地面とのずれを緩和するような、表面が木製の床タイルを提供することができる。合わせて、繊維質の素材が用いられた床タイルによる床面の一部に本考案の床タイルを配置して、木製床の部分を設けることが可能である。
【図面の簡単な説明】
【００１１】
【図１】図１は、本考案に係る床タイルの例を示す図である。（実施例１）
【図２】図２は、本考案に係る床タイルの例を示す図である。（実施例２）
【図３】図３は、面ファスナ取付位置のバリエーションを示す図である。（実施例２）
【考案を実施するための形態】
【００１２】
本考案の原理を示す実施例１及び面ファスナを付した実施例２を示す。
【実施例１】
【００１３】
図１は、本考案に係る床タイルの例を示す図である。（ａ）は床タイルを上方から見た図、（ｂ）は床タイルを側方から見た図である。
３枚の表面板１ａ、１ｂ及び１ｃが、可撓性シート２に接着されている。表面板は木製であり、可撓性シートはゴム製である。また、図中で表面板に描かれた縦線は木目（繊維方向）を示している。繊維方向は表面板を上方から見た長方形の長辺方向と一致する。
３枚の表面板は互いに若干の間隔を隔てて短冊状に配置されている。この配置により、木製の表面板が長方形の短辺方向に寸法変化（特に膨張）しても、表面板同士が触れ合うことはない。
表面板１ａには嵌合用凹部４ａが備えられ、表面板１ｂには嵌合用凸部３ｂ及び嵌合用凹部４ｂが備えられ、表面板１ｃには嵌合用凸部３ｃが備えられている。（ｂ）に示すように、表面板１ａの嵌合用凹部４ａに表面板１ｂの嵌合用凸部３ｂが嵌合され、表面板１ｂの嵌合用凹部４ｂに表面板１ｃの嵌合用凸部３ｃが嵌合されている。かかる嵌合によって、（ａ）に示すように、床タイルを上から見た時には２枚の隣接する表面板の間から可撓性シート２が見えることがなく、嵌合用凸部３ｂ及び３ｃが見える。嵌合用凸部も木製であり、全体が木製に見える。
表面板の可撓性シート側には、空洞部５が設けられている。空洞部５によって、表面板と可撓性シートとの接着面の面積が小さくなり、表面板の寸法変化に対して接着状態がより安定する。
【００１４】
可撓性シート２はゴム製であるので、コンクリートやプラスチックの下地面に接着して床タイルを固定することができる。
接着された状態においても可撓性シートの表面板側は、床タイルのサイズの範囲内の小さな表面板の寸法変化を吸収するだけの可撓性を持つ。なお、可撓性を保つために、必要であれば可撓性シートを厚いものにすればよい。接着された下地面側が固定されることによる表面板側の可撓性の減少を小さくすることができる。
【００１５】
本考案の実施形態としては、本実施例から数多くのバリエーションが考えられる。以下は、その例である。
表面板は３枚でなく、２枚又は４枚以上であってもよい。
嵌合用凸部及び凹部は、本実施例では図の左側に凹部、右側に凸部を設けているが、任意に設けてよい。例えば、表面板１ｂの両側に嵌合用凸部を設け、表面板１ａ及び１ｃに嵌合用凹部を設けてもよい。
空洞部５は設けなくてもよい。
【実施例２】
【００１６】
図２は、本考案に係る床タイルの例を示す図である。（ａ）は床タイルを上方から見た図、（ｂ）は床タイルを側方から見た図、（ｃ）は床タイルを下方から見た図である。
（ａ）は実施例１と同様である。（ｂ）において、可撓性シート２の下に面ファスナ６が設けられている点が、実施例１と異なる。面ファスナ６は、（ｃ）に示すように可撓性シート２の外周に沿って設けられている。
【００１７】
面ファスナ６を用いて床タイルを固定することができる。固定の方法としては、特許文献２のように下地面に設けた面ファスナと噛み合わせてもよく、繊維質の素材が用いられた床タイルによる床面に本考案の床タイルを設置して床面の繊維質の素材とも噛み合わせてもよい。
【００１８】
図３は、面ファスナ取付位置のバリエーションを示す図である。面ファスナは、（ａ）のように可撓性シート２の外周に沿って設ける他に、（ｂ）のように可撓性シート２の全面に設けても、（ｃ）のように可撓性シート２の四隅に設けてもよい。これらの他の位置に面ファスナを設けることも可能である。
下地面の材質によって固定するために必要な面ファスナの面積が異なるので、目的に応じて必要なだけの面ファスナを設ければよい。
【産業上の利用可能性】
【００１９】
小さな生産コストで、床板と下地面とのずれを緩和するような、表面が木製の床タイルを提供することができる床タイルであり、多くの家屋及びオフィスにおける活用が考えられる。
【符号の説明】
【００２０】
１    表面板
２    可撓性シート
３    嵌合用凸部
４    嵌合用凹部
５    空洞部
６    面ファスナ
【図１】
0003169647.tif 000003
【図２】
0003169647.tif 000004
【図３】
0003169647.tif 000005